(57)【要約】【課題】プロテクタの屈曲部位において、プロテクタに挿通するワイヤハーネスが浮き上がるのを防止する【解決手段】底壁と両側壁とを備えた断面凹形状で、内部空間にワイヤハーネスを挿通する樹脂成形品からなるプロテクタであって、長さ方向で３０°〜１８０°屈曲している部位に上記側壁の上端から上記内部空間に向かって押さえリブを突設し、該押さえリブをプロテクタの内部空間に挿通するワイヤハーネスに当接させて、屈曲部位でワイヤハーネスが内部空間より浮き上がらない構成としている。【選択図】  図３
2004166452.tif 000002
【特許請求の範囲】
【請求項１】
底壁と両側壁とを備えた断面凹形状で、内部空間にワイヤハーネスを挿通する樹脂成形品からなるプロテクタであって、
長さ方向で３０°〜１８０°屈曲している部位に上記側壁の上端から上記内部空間に向かって押さえリブを突設し、屈曲部位でワイヤハーネスが内部空間より浮き上がらない構成としていることを特徴とするワイヤハーネス用プロテクタ。
【請求項２】
上記屈曲部位は主経路から分岐経路が屈曲して分岐している部位で、上記押さえリブは分岐位置の主経路側の側壁上端より突出し、ワイヤハーネスの幹線より支線が分岐する部位が浮き上がらない構成としている請求項１に記載のワイヤハーネス用プロテクタ。
【発明の詳細な説明】
【０００１】
【発明が属する技術分野】
本発明は、ワイヤハーネス用プロテクタに関し、プロテクタの屈曲部位において、プロテクタに挿通するワイヤハーネスが浮き上がるのを防止するものである。
【０００２】
【従来の技術】
従来、自動車に配索するワイヤハーネスを挿通するプロテクタに関し、本出願人は先に、図８に示すプロテクタへの電線収容方法を提供している。（特開平７−２４５８４６号参照）このプロテクタへの電線収容方法は、断面凹形状で、かつ、その両側壁の所定位置に切欠部１ａを形成したプロテクタ本体１内に電線ｗを収容し、プロテクタ本体１の両側の切欠部１ａに対応する位置に配置した一対の引掛け金具２間にゴムバンド３を架け渡して、切欠部１ａからプロテクタ本体１内に挿入されたゴムバンド３によってプロテクタ本体１内の電線ｗを押さえ付けて浮き上がらないようにし、この状態でプロテクタ本体１にカバー４を被せ、最後に切欠部１ａからゴムバンド３を引き抜いている。
【０００３】
【特許文献１】
特開平７−２４５８４６号公報
【０００４】
【発明が解決しようとする課題】
しかしながら、上記プロテクタへの電線収容方法であると、ワイヤハーネス組立作業台上に引掛け金具２を設置する必要があり、また、プロテクタ本体１内に電線ｗを収容後、引掛け金具２にゴムバンド３を架け渡して、プロテクタ本体１にカバー４を被せた後、このゴムバンド３を引き抜く必要があり、部品点数及び作業工数が増加するという問題がある。さらに、プロテクタ本体１の両側壁に設けた切欠１ａからプロテクタ本体１内に収容した電線ｗが露出してしまうという問題もある。
【０００５】
本発明は上記問題に鑑みてなされたものであり、部品点数及び作業工数を増加させることなく、プロテクタのワイヤハーネスへの取付作業を容易にすることを課題としている。
【０００６】
【課題を解決するための手段】
上記課題を解決するため、本発明は、底壁と両側壁とを備えた断面凹形状で、内部空間にワイヤハーネスを挿通する樹脂成形品からなるプロテクタであって、
長さ方向で３０°〜１８０°屈曲している部位に上記側壁の上端から上記内部空間に向かって押さえリブを突設し、屈曲部位でワイヤハーネスが内部空間より浮き上がらない構成としていることを特徴とするワイヤハーネス用プロテクタを提供している。
【０００７】
上記構成とすると、ワイヤハーネスが浮き上がりやすいプロテクタの屈曲部位において、プロテクタ本体の側壁上端から内部空間に向かって押さえリブを突設し、該押さえリブにより浮き上がろうとするワイヤハーネスをプロテクタ本体内に押さえ込むので、ワイヤハーネスの浮き上がりを防止でき、プロテクタ本体への蓋の取付作業を容易にすることができる。
【０００８】
上記押さえリブは、プロテクタ本体と一体成形により設けているので、部品点数を増加させることがなく、また、プロテクタ本体内にワイヤハーネスを挿入して、このワイヤハーネスを押さえリブに引掛けるだけであるため、作業性が悪くなることもない。
また、上記構造は、プロテクタの屈曲部位において適用されるものであり、特に屈曲角度がプロテクタの長さ方向に対して３０°以上となる場合には、プロテクタ本体内に挿通したワイヤハーネスが浮き上がりやすくなるので、上記構造を好適に適用することができる。
【０００９】
また、上記屈曲部位が主経路から分岐経路が屈曲して分岐している部位である場合、特にワイヤハーネスの分岐箇所はワイヤハーネスの方向規制が難しく、ワイヤハーネスが浮き上がりやすい。さらに、作業員がすべての幹線及び支線を手で押さえながらプロテクタ本体に蓋を被せるのは非常に繁雑な作業であるので、押さえリブを設けた上記構造が有効となる。
【００１０】
【発明の実施の形態】
以下、本発明の実施の形態を図面を参照して説明する。  図１乃至図３は、本発明の第１実施形態を示し、プロテクタはプロテクタ本体１１と該プロテクタ本体１１の上面開口を閉鎖する蓋（図示せず）とからなる。
【００１１】
図１及び図２に示すように、プロテクタ本体１１は底壁１１ａ及び内周側側壁１１ｂ、外周側側壁１１ｃからなる断面凹形状であり、底壁１１ａ及び内周側側壁１１ｂ、外周側側壁１１ｃに囲まれた内部空間Ｓをワイヤハーネスの挿通箇所としている。また、プロテクタ本体１１は、その長さ方向の略中央位置で、長さ方向に対して右方向に４５°屈曲している。この屈曲部位１１ｄの内周側側壁１１ｂの上端から内部空間Ｓに向かって水平方向に押さえリブ１１ｅを突設している。該押さえリブ１１ｅの先端部１１ｅ−１はプロテクタ本体１１の屈曲に合わせて円弧面として、ワイヤハーネスＷ／Ｈをプロテクタ本体１１の内部空間Ｓに挿入しやすくしている。
また、内周側側壁１１ｂと外周側側壁１１ｃの外面には蓋に突設したロック片（図示せず）を挿入係止するロック枠１１ｆを設けている。
【００１２】
図３に示すように、上記プロテクタ本体１１の内部空間Ｓに、電線群にテープを巻き付けたワイヤハーネスＷ／Ｈを挿入し、該ワイヤハーネスＷ／Ｈをプロテクタ本体１１の押さえリブ１１ｅに引掛けて、ワイヤハーネスＷ／Ｈの浮き上がりを防止し、プロテクタ本体１１の内部空間ＳからワイヤハーネスＷ／Ｈがはみ出ないようにしている。その後、プロテクタ本体１１の上面開口を閉鎖する蓋に設けたロック片をプロテクタ本体１１のロック枠１１ｆに挿入係止し、プロテクタ本体１１と蓋とをロック結合して、内部空間Ｓを上方から閉鎖している。
【００１３】
上記構成とすると、ワイヤハーネスＷ／Ｈが浮き上がりやすいプロテクタの屈曲部位１１ｄにおいて、プロテクタ本体１１の内周側側壁１１ｂ上端から内部空間Ｓに向かって押さえリブ１１ｅを突設し、該押さえリブ１１ｅにより浮き上がろうとするワイヤハーネスＷ／Ｈをプロテクタ本体１１の内部空間Ｓ内に押さえ込むので、ワイヤハーネスＷ／Ｈの浮き上がりを防止でき、プロテクタ本体１１への蓋の取付作業を容易にすることができる。
また、上記押さえリブ１１ｅは、プロテクタ本体１１と一体成形により設けているので、部品点数を増加させることがなく、また、内部空間ＳにワイヤハーネスＷ／Ｈを挿入して、このワイヤハーネスＷ／Ｈを押さえリブ１１ｅに引掛けるだけであるため、作業性が悪くなることもない。
【００１４】
図４は、上記第１実施形態の第１変形例を示し、押さえリブ１１ｅが内部空間Ｓに向けて下方傾斜している。
上記構成とすると、ワイヤハーネスＷ／Ｈをプロテクタ本体１１の内部空間Ｓに挿入しやすく、かつ、抜けにくくすることができる。
なお、他の構成は上記第１実施形態と同様のため説明を省略する。
【００１５】
図５（Ａ）は上記第１実施形態の第２変形例を示し、プロテクタ本体１１は、プロテクタ本体１１の屈曲部位１１ｄの外周側側壁１１ｃの上端から内部空間Ｓに向かって押さえリブ１１ｅを突設している。
上記構成とすると、プロテクタ本体１１の内部空間Ｓ内でワイヤハーネスＷ／Ｈをたるませている場合、有効にワイヤハーネスＷ／Ｈの浮き上がりを防止することができる。
なお、他の構成は上記第１実施形態と同様のため説明を省略する。
【００１６】
図５（Ｂ）は上記第１実施形態の第３変形例を示し、プロテクタ本体１１は、プロテクタ本体１１の屈曲部位１１ｄの内周側側壁１１ｂと外周側側壁１１ｃの両側壁の上端から内部空間Ｓに向かって押さえリブ１１ｅを突設している。
上記構成とすると、プロテクタ本体１１の内部空間Ｓに上記第１実施形態よりも小径のワイヤハーネスＷ／Ｈを挿通した場合にも、有効にワイヤハーネスＷ／Ｈの浮き上がりを防止することができる。
なお、他の構成は上記第１実施形態と同様のため説明を省略する。
【００１７】
なお、プロテクタ本体の屈曲部位の屈曲角度は４５°に限らず、３０°〜１８０°の範囲で上記構造を適用することができる。
【００１８】
図６及び図７は、本発明の第２実施形態を示し、プロテクタはプロテクタ本体１１’と該プロテクタ本体１１’の上面開口を閉鎖する蓋（図示せず）とからなる。
【００１９】
図６に示すように、プロテクタ本体１１’は底壁１１ａ’及び内周側側壁１１ｂ’、外周側側壁１１ｃ’からなる断面凹形状であり、底壁１１ａ’及び内周側側壁１１ｂ’、外周側側壁１１ｃ’に囲まれた内部空間Ｓ’をワイヤハーネスＷ／Ｈ’の挿通箇所としている。
また、プロテクタ本体１１’は、ワイヤハーネスＷ／Ｈ’の幹線Ｗ／Ｈ−１’を挿通する主経路１１Ａ’と幹線Ｗ／Ｈ−１’から分岐する支線Ｗ／Ｈ−２’を挿通する分岐経路１１Ｂ’からなる。主経路１１Ａ’は屈曲部位１１ｄ’において長さ方向に対して右方向に４５°屈曲し、分岐経路１１Ｂ’は主経路１１Ａ’の屈曲部位１１ｄ’の近傍で主経路１１Ａ’から分岐している。該分岐経路１１Ｂ’の屈曲角度は、屈曲部位１１ｄ’よりも前方の主経路１１Ａ−１’に対して左方向に９０°としている。
【００２０】
上記屈曲部位１１ｄ’の内周側側壁１１ｂ’の上端から内部空間Ｓ’に向かって水平方向に押さえリブ１１ｅ’を突設し、幹線Ｗ／Ｈ−１’の屈曲位置を押さえ込む押さえリブ１１ｅ−１’と支線Ｗ／Ｈ−２’が幹線Ｗ／Ｈ−１’から分岐する分岐位置を押さえ込む押さえリブ１１ｅ−２’を突設している。
【００２１】
図７に示すように、上記プロテクタ本体１１’の主経路１１Ａ’に電線群にテープを巻き付けたワイヤハーネスＷ／Ｈ’の幹線Ｗ／Ｈ−１’を挿入すると共に、分岐経路１１Ｂ’に支線Ｗ／Ｈ−２’を挿入し、幹線Ｗ／Ｈ−１’の屈曲位置をを押さえリブ１１ｅ−１’に引掛けると共に、支線Ｗ／Ｈ−２’の分岐位置を押さえリブ１１ｅ−２’に引掛けてワイヤハーネスＷ／Ｈ’の浮き上がりを防止し、プロテクタ本体１１’の内部空間Ｓ’からワイヤハーネスＷ／Ｈ’がはみ出ないようにしている。その後、プロテクタ本体１１’と蓋とをロック結合して、内部空間Ｓ’を上方から閉鎖している。
【００２２】
上記構成とすると、ワイヤハーネスＷ／Ｈ’が浮き上がりやすいプロテクタの屈曲部位１１ｄ’及び分岐部位において、押さえリブ１１ｅ’により浮き上がろうとするワイヤハーネスＷ／Ｈ’をプロテクタ本体１１’内に押さえ込むので、ワイヤハーネスＷ／Ｈ’の浮き上がりを防止でき、プロテクタ本体１１’への蓋の取付作業を容易にすることができる。
【００２３】
また、上記押さえリブ１１ｅ’は、プロテクタ本体１１’と一体成形により設けているので、部品点数を増加させることがなく、また、プロテクタ本体１１’内にワイヤハーネスＷ／Ｈ’を挿入して、このワイヤハーネスＷ／Ｈ’を押さえリブ１１ｅ’に引掛けるだけであるため、作業性が悪くなることもない。特に本実施形態のようにワイヤハーネスＷ／Ｈ’が分岐部位を有する場合、幹線Ｗ／Ｈ−１’と支線Ｗ／Ｈ−２’を共に内部空間Ｓ’内に押さえ込む必要があるが、幹線Ｗ／Ｈ−１’と支線Ｗ／Ｈ−２’共に押さえリブ１１ｅ’により内部空間Ｓ’内に押さえ込まれているので、蓋の取付作業を容易にすることができる。
【００２４】
【発明の効果】
以上の説明より明らかなように、本発明によれば、ワイヤハーネスが浮き上がりやすいプロテクタの屈曲部位において、プロテクタ本体の側壁上端から内部空間に向かって押さえリブを突設し、該押さえリブにより浮き上がろうとするワイヤハーネスをプロテクタ本体の内部空間内に押さえ込むので、ワイヤハーネスの浮き上がりを防止でき、プロテクタ本体への蓋の取付作業を容易にすることができる。
【００２５】
上記押さえリブは、プロテクタ本体と一体成形により設けているので、部品点数を増加させることがなく、また、プロテクタ本体の内部空間内にワイヤハーネスを挿入して、このワイヤハーネスを押さえリブに引掛けるだけであるため、作業性が悪くなることもない。
【００２６】
また、上記屈曲部位が主経路から分岐経路が屈曲して分岐している部位である場合、特にワイヤハーネスの分岐位置はワイヤハーネスの方向規制が難しく、ワイヤハーネスが浮き上がりやすいので、作業員がすべての幹線及び支線を手で押さえながらプロテクタ本体に蓋を被せるのは非常に繁雑な作業であるが、上記押さえリブが幹線及び支線をプロテクタ本体の内部空間内に押さえ込んでいるので蓋の取付作業を容易にすることができる。
【図面の簡単な説明】
【図１】第１実施形態のプロテクタ本体を示す斜視図である。
【図２】第１実施形態のプロテクタ本体を示し、（Ａ）は平面図、（Ｂ）はＩ１−Ｉ１線断面図である。
【図３】プロテクタ本体にワイヤハーネスを挿通した状態を示し、（Ａ）は平面図、（Ｂ）はＩ２−Ｉ２線断面図である。
【図４】第１実施形態の第１変形例を示す断面図である。
【図５】（Ａ）は第１実施形態の第２変形例の平面図、（Ｂ）は第１実施形態の第３変形例の平面図である。
【図６】第２実施形態のプロテクタ本体を示す平面図である。
【図７】プロテクタ本体にワイヤハーネスを挿通した状態を示す平面図である。
【図８】従来例を示す図面である。
【符号の説明】
１１  プロテクタ本体
１１ｂ  内周側側壁
１１ｃ  外周側側壁
１１ｄ  屈曲部位
１１ｅ  押さえリブ
Ｓ  内部空間
Ｗ／Ｈ  ワイヤハーネス
【図１】
2004166452.tif 000003
【図２】
2004166452.tif 000004
【図３】
2004166452.tif 000005
【図４】
2004166452.tif 000006
【図５】
2004166452.tif 000007
【図６】
2004166452.tif 000008
【図７】
2004166452.tif 000009
【図８】
2004166452.tif 000010